(57)【要約】【課題】  風呂蓋の両面に把手を設けることにより、表裏を意識せずに使用できて使い勝手に優れると共に、把手の突出高さ等を小さくできて良好な収納状態が得られる風呂蓋構造を提供する。【解決手段】  浴槽の上縁フランジ上に載置されて浴槽内を覆う複数に分割された蓋体と、同一形状に形成され蓋体の所定位置に設けられた開口にその表裏面側からそれぞれ嵌め込まれて、その接合部が互いに接合されることにより蓋体に取り付けられた一対の把手部材と、を備える。前記一対の把手部材は、一端側に略コ字状の把手部を有し他端側に蓋体の一方の面に当接する当接部を有すると共に、把手部と当接部との間に形成される接合部が傾斜面を有して蓋体の表裏面側からそれぞれ異なる向きで嵌め込まれる。【選択図】  図３
2006149504.tif 000002
【特許請求の範囲】
【請求項１】
浴槽の上縁フランジ上に載置されて浴槽内を覆う複数に分割された蓋体と、互いに同一形状に形成され前記蓋体の所定位置に設けられた開口にその表裏面側からそれぞれ嵌め込まれて、その接合部が互いに接合されることにより蓋体に取り付けられた一対の把手部材と、を備えることを特徴とする風呂蓋構造。
【請求項２】
前記一対の把手部材は、一端側に略コ字状の把手部を有し他端側に蓋体の一方の面に当接する当接部を有すると共に、把手部と当接部との間に形成される接合部が傾斜面を有して前記蓋体の表裏面側からそれぞれ異なる向きで嵌め込まれることを特徴とする請求項１に記載の風呂蓋構造。
【請求項３】
前記把手部材は、蓋体の開口に９０度異なる向きで取り付け可能に構成されていることを特徴とする請求項１または２に記載の風呂蓋構造。
【請求項４】
前記把手部材と蓋体の開口とを円形に形成し、把手部材の向きを蓋体に対して３６０度調整可能に構成したことを特徴とする請求項１または２に記載の風呂蓋構造。
【請求項５】
前記把手部材は、複数の蓋体を浴槽の上縁フランジ上から取り外して重ね合わせて収納した際に、各蓋体の把手部材が互いに干渉しない位置に取り付けられていることを特徴とする請求項１ないし４のいずれかに記載の風呂蓋構造。
【発明の詳細な説明】
【技術分野】
【０００１】
本発明は、例えばシステムバスルーム等の浴室において、浴槽の上縁フランジ上に載置されて使用される風呂蓋構造に関する。
【背景技術】
【０００２】
従来、浴槽の上縁フランジ上には、浴槽内の湯の温度低下等を防止する目的で風呂蓋が載置されるが、この風呂蓋の大部分は板状の本体部分が占めており、その取り扱いも本体部分を手で持って行うことが多く、表裏を区別することなく使用できるという利点が得られる。
【０００３】
ところが、このような板状の風呂蓋の場合、風呂蓋自体の形状等によっては手で持ち難い場合があり、そこで例えば図９に示すように風呂蓋に把手を取り付けたものが一部で使用されている。このうち図９（ａ）に示す風呂蓋は、板状の風呂蓋１０１の所定位置に略コ字状の金属製の把手１０２をネジ１０３で固定したものであり、図９（ｂ）に示す風呂蓋は、板状の風呂蓋１０１の所定個所に開口１０４を形成し、この開口１０４部分に樹脂成形品等により互いに異なる形状に形成された一対の把手部材１０２ａ、１０２ｂからなる把手１０２を嵌め込んで接着等により固着したものである。なお、この種の板状の風呂蓋としては、例えば特許文献１に開示されている。
【特許文献１】特開２００４−２３７０６５号公報
【発明の開示】
【発明が解決しようとする課題】
【０００４】
しかしながら、このような把手１０２が取り付けられた風呂蓋１０１にあっては、表裏を区別することなく使用することができない上に、把手１０２が風呂蓋１０１の一方の面（例えば表面）に、その面から比較的寸法突出した状態で設けられているため、風呂蓋１０１が手で持ち易くはなるものの、突出した把手１０２によって風呂蓋１０１の収納時に嵩張ることになり、例えば浴槽の上縁フランジ上等の浴室内の所定位置に風呂蓋１０１をすっきりと収納することが難しく、浴室使用時等の浴室内のデザイン低下を招き易い。
【０００５】
本発明は、このような事情に鑑みてなされたもので、その目的は、風呂蓋の両面に把手を設けることにより、表裏を意識せずに使用できて使い勝手に優れた風呂蓋構造を提供することにある。また、他の目的は、前記目的に加え、把手の突出高さ等を小さくできて、良好な収納状態が得られる風呂蓋構造を提供することにある。
【課題を解決するための手段】
【０００６】
かかる目的を達成すべく、本発明のうち請求項１に記載の発明は、浴槽の上縁フランジ上に載置されて浴槽内を覆う複数に分割された蓋体と、同一形状に形成され前記蓋体の所定位置に設けられた開口にその表裏面側からそれぞれ嵌め込まれて、その接合部が互いに接合されることにより蓋体に取り付けられた一対の把手部材と、を備えることを特徴とする。
【０００７】
そして、前記一対の把手部材は、請求項２に記載の発明のように、一端側に略コ字状の把手部を有し他端側に蓋体の一方の面に当接する当接部を有すると共に、把手部と当接部との間に形成される前記接合部が傾斜面を有して前記蓋体の表裏面側からそれぞれ異なる向きで嵌め込まれることが好ましい。
【０００８】
また、前記把手部材は、請求項３に記載の発明のように、蓋体の開口に９０度異なる向きで取り付け可能に構成されることが好ましく、また、請求項４に記載の発明のように、前記把手部材と蓋体の開口とを円形に形成し、把手部材の向きを蓋体に対して３６０度調整可能に構成することが好ましい。さらに、請求項５に記載の発明のように、複数の蓋体を浴槽の上縁フランジ上から取り外して重ね合わせて収納した際に、各蓋体の把手部材が互いに干渉しない位置に取り付けられていることが好ましい。
【発明の効果】
【０００９】
本発明のうち請求項１に記載の発明によれば、同一形状の一対の把手部材が、複数に分割された各蓋体の開口に蓋体の表裏面側からそれぞれ嵌め込まれて、接合部が互いに接合されて蓋体に取り付けられているため、風呂蓋の表裏面に把手を設けることができて、表裏を意識せずに風呂蓋を使用でき使い勝手に優れた風呂蓋を得ることができる。
【００１０】
また、請求項２に記載の発明によれば、請求項１に記載の発明の効果に加え、把手部材が、一端側に略コ字状の把手部を有し他端側に蓋体の一方の面に当接する当接部を有すると共に、把手部と当接部との間に傾斜面を有する接合部が形成され蓋体の表裏面側からそれぞれ異なる向きで嵌め込まれるため、傾斜面を有する接合部同士を接合し把手部を窪んだ形状に形成して表裏の各把手部の突出寸法を小さくでき、各蓋体を重ね合わせた際の厚みが薄くなって浴室内のデザイン低下を招くことのない良好な収納状態を得ることができる。
【００１１】
また、請求項３に記載の発明によれば、請求項１または２に記載の発明の効果に加え、把手部材が蓋体の開口に９０度異なる向きで取り付け可能に構成されているため、各蓋体に把手部材を持ち易い所望方向で取り付けできて、一層使い勝手に優れた風呂蓋を得ることができる。
【００１２】
また、請求項４に記載の発明によれば、請求項１または２に記載の発明の効果に加え、把手部材と蓋体の開口とが円形に形成され、把手部材の向きが蓋体に対して３６０度調整可能に構成されているため、各蓋体に把手部材を持ち易い所望方向で取り付けできて、一層使い勝手に優れた風呂蓋を得ることができる。
【００１３】
さらに、請求項５に記載の発明によれば、請求項１ないし４に記載の発明の効果に加え、各蓋体を重ね合わせた際に各蓋体の把手部材が互いに干渉しない位置に取り付けられているため、各蓋体を重ね合わせた際の厚みをより薄くして一層良好な収納状態を得ることができる。
【発明を実施するための最良の形態】
【００１４】
以下、本発明の実施の形態を図面に基づいて詳細に説明する。
図１〜図５は、本発明に係わる風呂蓋構造を使用した浴槽の一実施形態を示し、図１が風呂蓋をセットした状態の斜視図、図２が蓋体の斜視図、図３が図２のＡ−Ａ線矢視図、図４及び図５が把手部材の正面図及び側面図である。
【００１５】
図１及び図２に示すように、風呂蓋１は、樹脂板からなる３枚の蓋体２で形成され、この各蓋体２の略中心位置に設けられた開口６（図３参照）には把手３がそれぞれ取り付けられている。そして、この各蓋体２は、図１に示すように、浴室４の浴槽５の上縁フランジ５ａ上に幅方向に並設状態で載置されることによりセット状態とされて、浴槽５の上面開口部を閉塞し、浴槽５内の湯の温度低下等を防止するようになっている。また、前記蓋体２は、例えば樹脂材の成形により中実状に形成されるかあるいは樹脂材のブロー成形により中空状に形成され、かつ平面視で長方形状に形成されてその略中心位置には表面２ａ及び裏面２ｂに貫通する前記開口６が設けられている。
【００１６】
また、前記把手３は、図３〜図５に示すように、例えば樹脂材の成形により形成された一対の把手部材７を有し、この各把手部材７は、平面視で蓋体２の開口６の形状に対応した長方形状の互いに同一形状に形成されている。そして、各把手部材７は、短辺方向の一端側に略コ字状の把手部７ａが一体成形されると共に他端側に平坦な当接部７ｂが一体成形されている。また、把手部材７の把手部７ａの外面側の角部には切欠き８が形成され、一方の把手部材７の切欠き８に他方の把手部材７の当接部７ｂが対向配置されることにより、蓋体２の開口６端部が嵌入状態とされるコ字状の凹部９が形成されるようになっている。
【００１７】
さらに、各把手部材７は、把手部７ａと当接部７ｂとの間に接合部７ｃが形成され、この接合部７ｃはその表裏面側が同一角度で傾斜する傾斜面１０を有している。すなわち、各把手部材７の把手部７ａ側の接合面が当接部７ｂの接合面より蓋体２の略板厚分内側（図３において下方）に位置することにより、把手部７ａと当接部７ｂを連結する接合部７ｃが傾斜面１０を有する状態で形成されている。また、この傾斜面１０の傾斜方向イと直交する両側に壁７ｄが設けられることにより、各把手部材７の把手部７ａが窪んだ形状に形成されている。
【００１８】
そして、この各把手部材７の接合部７ｃの傾斜した接合面や、把手部７ａ及び当接部７ｂの平坦な接合面が接着剤１１で接合されることにより、蓋体２の表面２ａ側及び裏面２ｂ側に把手部材７がそれぞれ取り付けられると共に、各把手部材７の傾斜面１０により、接合された一対の把手部材７の厚みが薄く設定され、蓋体２の表面２ａ及び裏面２ｂからの突出寸法ｈが小さく（低く）なるように設定されている。なお、この把手部材７は、例えばブロー成型等により中空状に形成されるが、一般の成形型を使用して中実状に形成することもでき、この場合は図３の二点鎖線ａで示す位置で把手部７ａの一部を他の部分と分割した状態でそれぞれ成形し、これらを後工程で接合するようにすれば良い。
【００１９】
このように構成された把手部材７は、次のようにして蓋体２に取り付けられる。すなわち、先ず、各蓋体２の所定位置に表面２ａから裏面２ｂに貫通する長方形状の開口６を穿設（もしくは予め形成）し、この開口６の表面２ａ側及び裏面２ｂ側から一対の把手部材７をそれぞれ嵌め込む。この時、各把手部材７の開口６に嵌め込む向きを１８０度異ならせることにより、各把手部材７の把手部７ａ側の凹部９が開口６の短辺方向の対向する辺に異なる面側からそれぞれ嵌め込まれると共に、この凹部９と対向する蓋体２の面に各把手部材７の当接部７ｂがそれぞれ当接した状態とされる。
【００２０】
また、この各把手部材７の開口６への嵌め込み時に、各把手部材７の接合面や傾斜面１０（以下接合面等という）に接着剤１１を塗布するか、あるいは接合面等に両面テープ等を貼付して接合するか接合面等に設けた凹凸による嵌合接合等により、一対の把手部材７がその接合面等で接着され、蓋体２の開口６が一対の把手部材７で閉塞された状態となる。これにより、把手部材７が蓋体２に取り付けられて蓋体２の表裏面２ａ、２ｂに把手３がそれぞれ設けられて、把手部材７の窪んだ形状の把手部７ａを手で持つことにより、蓋体２の浴槽５の上蓋フランジ５ａ上からの取り外しや載置が可能となる。
【００２１】
つまり、互いに同一形状の一対の把手部材７を蓋体２の開口６の表裏面側から嵌め込んで接合することにより、把手３が蓋体２の表裏面２ａ、２ｂに取り付けられ、蓋体２を表裏面を意識せずに使用できることになる。そして、この風呂蓋１は、各蓋体２を浴槽５の上縁フランジ５ａ上から取り外して、図１の二点鎖線で示すように、浴槽５の足側の上縁フランジ５ａ上に重ね合わせて壁パネル１２に立てかけることにより収納される。この時、各蓋体２の重ね合わせ方向を、把手部７ａの傾斜面１０の傾斜方向が図１の矢印イ方向である上下方向でかつ表面２ａ側の窪んだ形状の把手部７ａが下方に開口するように設定する。
【００２２】
これにより、各把手部材７の蓋体２の表裏面２ａ、２ｂに対する突出寸法ｈが小さく設定されていることから、重ね合わされて収納された各蓋体２の厚みｔ（図１参照）をできるだけ薄くできる。なお、浴槽５の上縁フランジ５ａから取り外した各蓋体２の重ね合わせ方向は、把手部材７の位置によって使用者に認識できるが、例えば各蓋体２に天地方向を示すマークを設けて認識性を高めるようにしても良い。
【００２３】
このように、上記実施形態の風呂蓋１にあっては、同一形状の一対の把手部材７を３枚に分割された蓋体２の長方形状の開口６に蓋体２の表裏面２ａ、２ｂ側からそれぞれ嵌め込み、その接合部７ｃ等を互いに接合することにより把手部材７が各蓋体２に取り付けられているため、風呂蓋１の表裏面に把手３を設けることができて、表裏面を意識せずに把手３を手で持って風呂蓋１を浴槽５上から取り外したりセットすることができ、使い勝手に優れた風呂蓋１を得ることが可能となる。
【００２４】
また、各把手部材７の一端側に略コ字状の把手部７ａが形成され他端側に蓋体２の一方の面に当接する当接部７ｂが形成されると共に、把手部７ａと当接部７ｂとの間の接合部７ｃが傾斜面１０を有する如く形成されているため、各蓋体２の表裏面２ａ、２ｂからの各把手部材７の突出寸法ｈを小さくできて、各蓋体２を浴槽５上から取り外して重ね合わせた際の厚みｔを薄くして、例えば浴槽５の足側の上縁フランジ５ａ上にすっきりと収納することができる。また同時に、厚さの薄い把手部材７の使用で蓋体２自体のデザイン性を高めることができ、収納時は勿論のこと、浴槽５にセットした状態での風呂蓋１による浴室４内のデザイン低下を抑えることも可能となる。
【００２５】
さらに、同一形状の一対の把手部材７を、その各接合面等に接着剤１１を塗布等して蓋体２の開口６に嵌め込むことで把手部材７を蓋体２に取り付けることができると共に、各把手部材７の把手部７ａ側に切欠き８が設けられているため、この切欠き８を蓋体２の開口６縁部に係止させて位置決めでき、把手部材７の蓋体２に対する取付作業を簡単に行うことができる。また、一方の把手部材７の切欠き８と他方の把手部材７の当接部７ｂでコ字状の凹部９を形成して、この凹部９内に蓋体２の開口６縁部が挟み込まれる状態で把手部材７が蓋体２に取り付けられるため、各把手部材７の蓋体２への取付強度を高めることができると共に、蓋体２の開口６を各把手部材７で確実に閉塞できて、風呂蓋１としての機能を長期に亘り安定維持することが可能となる。
【００２６】
また、各把手部材７の把手部７ａと当接部７ｂ間の接合部７ｃが傾斜面１０を有するため、複数の蓋体２の重ね合わせた際に、傾斜面１０を上下方向で下方に開口するように設定することで、各蓋体２の収納時に窪んだ形状の把手部７ａ内の水滴を自動的に上縁フランジ５ａ上に流し落とすことができて、水滴溜まりによる把手部７ａの汚れ発生等を抑制することができる。また、一対の把手部材７が同一形状に形成されているため、把手部材７のコストの低減化を図ることができて、前述した把手部材７の蓋体２への組付性の容易化等と併せ、安価な風呂蓋１を提供することが可能となる。
【００２７】
図６〜図８は、本発明に係わる風呂蓋構造のそれぞれ他の実施形態を示している。以下、上記実施形態と同一部位には同一符号を付して説明する。先ず、図６に示す風呂蓋１の特徴は、３枚の蓋体２に取り付けられる把手部材７の位置を異ならせることにより、各蓋体２を重ね合わせて収納した際の把手部材７同士の干渉を防止できるように構成した点にある。すなわち、例えば図の中央の蓋体２の把手部材７を該蓋体２の中央部分に取り付け、左側の蓋体２の把手部材７を中央より右側（もしくは左側）に取り付け、右側の蓋体２の把手部材７を中央より左側（もしくは右側）に取り付ける。
【００２８】
この構成においても、蓋体２の表裏面２ａ、２ｂに把手３を設けることができて、上記実施形態と同様の作用効果が得られる他に、各蓋体２を浴槽５上から取り外して重ね合わせて収納した際に、各蓋体２の把手部材７が互いに干渉することがなくなり、把手部材７の突出寸法ｈを隔てて３枚の蓋体２を重ねることができる。その結果、各蓋体２を重ね合わせた際の厚みｔを最小とすることができて、各蓋体２を浴槽５の上縁フランジ５ａ上に収納した際の見栄えを一層向上させることができる。
【００２９】
また、図７に示す風呂蓋１の特徴は、各蓋体２に穿設される開口６を正方形状とし、この開口６に一対の把手部材７を所望の向きに取り付けるようにした点にある。すなわち、正方形状の開口６に対して把手部材７を縦方向に取り付けることにより、把手３の向きが図の左右の蓋体２の向きに設定され、把手部材７を図７の矢印ロに示す如く水平面内で９０度回転させて横方向に取り付けることにより、把手３の向きが図の中央の蓋体２の向きに設定される。この場合、各蓋体２を浴槽５上にセットした状態においては、３枚の蓋体２への把手部材７の取り付け方向が全て同一に設定されることが好ましい。
【００３０】
この構成においても、各蓋体２の表裏面２ａ、２ｂに把手３を設けることができて、上記実施形態と同様の作用効果が得られる他に、使用者の好みに応じて把手３の向きを所望方向に設定できて、その使い勝手を一層向上させることができる。なお、この風呂蓋１の変形例として、各蓋体２に穿設される開口６を円形に形成すると共に把手部材７も円形に形成しても良く、この場合は、各把手部材７の向きを各蓋体２の開口６に対して３６０度調整可能に取り付けることができて、使用者の好みに一層的確に対応したり、各蓋体２の把手部材７の向きを異ならせてその識別化を図ること等ができる。
【００３１】
さらに、図８に示す風呂蓋の特徴は、前記把手部材７の傾斜面１０をなくし、接合部７ｃを平面とし各把手部材７の把手部７ａの角部に切欠き８を形成した点にある。この構成においても、各蓋体２の表裏面２ａ、２ｂに把手３を設けることができて、上記実施形態と同様の作用効果が得られる他に、傾斜面１０がないことから把手部材７の形状が簡略化され、例えばその成形が容易になる等、部材コストの一層の低減化を図ることができる。この実施形態の場合には、把手部材７の位置を各蓋体２毎に異ならせること等によって各蓋体２を重ね合わせた際の厚みｔが小さくなる構成とすれば、各把手部材７の向きを表裏面２ａ、２ｂから同じ向きで嵌め込むことも可能である。 
【００３２】
なお、上記各実施形態においては、風呂蓋１を３枚の蓋体２に分割し各蓋体２を同一形状に形成した場合について説明したが、本発明はこれに限定されず、２枚もしくは４枚以上に分割しても良いし、浴槽５の平面形状が異形の場合には、各蓋体２の形状をこの浴槽５の平面形状に合わせた異なる形状に設定することもできる。また、上記実施形態における把手部材７の形状や開口６の形状等も一例であって、例えば把手部材７の把手部７ａの形状を指の形状にマッチさせたり把手部７ａに滑り止めの凹凸等を形成したり、あるいは蓋体２に対する把手３の位置を明確にするために把手３の色調を蓋体２と異ならせる等、本発明に係わる各発明の要旨を逸脱しない範囲において適宜に変更することができる。
【産業上の利用可能性】
【００３３】
本発明は、一般家庭のシステムバスルーム等の浴室に設置される浴槽の風呂蓋に限らず、一般家庭やホテル等の各種浴室の浴槽に設置される風呂蓋にも適用できる。
【図面の簡単な説明】
【００３４】
【図１】本発明に係わる風呂蓋構造を採用した浴槽の一実施形態を示す斜視図
【図２】同その風呂蓋の斜視図
【図３】同図２のＡ−Ａ線矢視図
【図４】同把手部材の正面図
【図５】同その側面図
【図６】本発明に係わる風呂蓋構造の他の実施形態を示す平面図
【図７】本発明に係わる風呂蓋構造のさらに他の実施形態を示す平面図
【図８】本発明に係わる風呂蓋構造のさらに他の実施形態を示す図３と同様の断面図
【図９】従来の風呂蓋の断面図
【符号の説明】
【００３５】
１・・・風呂蓋、２・・・蓋体、２ａ・・・表面、２ｂ・・・裏面、３・・・把手、４・・・浴室、５・・・浴槽、５ａ・・・上縁フランジ、６・・・開口、７・・・把手部材、７ａ・・・把手部、７ｂ・・・当接部、７ｃ・・・接合部、７ｄ・・・壁、８・・・切欠き、９・・・凹部、１０・・・傾斜面、１１・・・接着剤。
【図１】
2006149504.tif 000003
【図２】
2006149504.tif 000004
【図３】
2006149504.tif 000005
【図４】
2006149504.tif 000006
【図５】
2006149504.tif 000007
【図６】
2006149504.tif 000008
【図７】
2006149504.tif 000009
【図８】
2006149504.tif 000010
【図９】
2006149504.tif 000011